【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
下記を備える、少なくとも２つの通信リンクを使用して通信することができる無線クライアント局、
放送チャネル上でディジタルマルチメディアストリームを、双方向無線リンク上で制御データを、受信するように構成された少なくとも１つのプロセッサ、ここにおいて、前記プロセッサは、前記制御データを使用して、ディスプレイ上の前記マルチメディアストリームの提示を可能にするように構成される、ここにおいて、前記双方向無線リンクは、ポイント ツウ ポイント無線通信リンクである、ここにおいて、前記制御データは、前記マルチメディアストリームをデインターリービング、圧縮解除、および復号するのに役立つデータを含む。
【請求項２】
前記双方向無線リンクは、前記放送チャネルと関係付けられていない、請求項１記載のクライアント局。
【請求項３】
前記放送チャネルは、単方向である、請求項１記載のクライアント局。
【請求項４】
前記双方向無線リンクは、ＣＤＭＡリンク、802.11リンク、ＧＳＭ（登録商標）リンク、衛星リンク、およびブルートゥースリンクの中の少なくとも１つである、請求項１記載のクライアント局。
【請求項５】
前記制御データは、マルチメディア放送サービスへの加入と関係付けられたデータおよび／またはマルチメディア放送ネットワーク上の登録と関係付けられたデータを含む、請求項１記載のクライアント局。
【請求項６】
前記制御データは、ユーザの複数の好みに関係する課金情報データおよび／または前記マルチメディアストリームを与えることに関係するサービスの複数のレベルに関係するデータを含む、請求項１記載のクライアント局。
【請求項７】
前記マルチメディアストリームはディジタルであり、暗号化される、請求項１記載のクライアント局。
【請求項８】
前記制御データは、前記マルチメディアストリームを解読するのに役立つデータを含む、請求項１記載のクライアント局。
【請求項９】
前記制御データは、チャネルの選択および追跡のために、前記マルチメディアストリーム中へインデックスを付けるのに役立つデータを含む、請求項１記載のクライアント局。
【請求項１０】
複数のサービスおよび複数の製品のうちの少なくとも１つが前記双方向リンク上で注文されることができる、請求項１記載のクライアント局。
【請求項１１】
下記を備える、無線クライアント局において少なくとも２つの通信リンクを使用して通信する方法、
放送チャネル上でディジタルマルチメディアストリームを、双方向無線リンク上で制御データを、受信すること、ここにおいて、前記制御データは、ディスプレイ上の前記マルチメディアストリームの提示を可能にするために用いられ、前記双方向無線リンクは、ポイント ツウ ポイント無線通信リンクである、ここにおいて、前記制御データは、前記マルチメディアストリームをデインターリービング、圧縮解除、および復号するのに役立つデータを含む。
【請求項１２】
前記双方向無線リンクは、前記放送チャネルと関係付けられていない、請求項１１記載の方法。
【請求項１３】
前記放送チャネルは、単方向である、請求項１１記載の方法。
【請求項１４】
前記双方向無線リンクは、ＣＤＭＡリンク、802.11リンク、ＧＳＭリンク、衛星リンク、およびブルートゥースリンクの中の少なくとも１つである、請求項１１記載の方法。
【請求項１５】
前記制御データは、マルチメディア放送サービスへの加入と関係付けられたデータおよび／またはマルチメディア放送ネットワーク上の登録と関係付けられたデータを含む、請求項１１記載の方法。
【請求項１６】
前記制御データは、ユーザの複数の好みに関係する課金情報データおよび／または前記マルチメディアストリームを与えることに関係するサービスの複数のレベルに関係するデータを含む、請求項１１記載の方法。
【請求項１７】
前記マルチメディアストリームはディジタルであり、暗号化される、請求項１１記載の方法。
【請求項１８】
前記制御データは、前記マルチメディアストリームを解読するのに役立つデータを含む、請求項１１記載の方法。
【請求項１９】
前記制御データは、チャネルの選択および追跡のために、前記マルチメディアストリーム中へインデックスを付けるのに役立つデータを含む、請求項１１記載の方法。
【請求項２０】
複数のサービスおよび複数の製品のうちの少なくとも１つが前記双方向リンク上で注文されることができる、請求項１１記載の方法。
【請求項２１】
下記を備える通信システム、
無線放送リンク１４上で少なくとも１つのマルチメディアストリームを無線で放送するように構成された少なくとも１つの放送センター１２、および
ネットワークを介して前記放送センター１２から制御データを受信し、該制御データを双方向無線リンク３６上で、前記無線放送を受信する装置へ送信するように構成されたネットワーク制御センター３４、ここにおいて、前記ネットワークはセキュリティが保護された接続であり、前記双方向無線リンク３６は、ポイント ツウ ポイント無線通信リンクである、ここにおいて、前記制御データは、前記マルチメディアストリームをデインターリービング、圧縮解除、および復号するのに役立つデータを含む。
【請求項２２】
前記双方向無線リンクは、前記放送リンクと関係付けられていない、請求項２１記載のシステム。
【請求項２３】
前記放送リンクは、単方向であり、複数のＣＤＭＡ原理、複数のＧＳＭ原理、および複数のＯＦＤＭ原理の中の少なくとも１つによって特徴付けられる、請求項２１記載のシステム。
【請求項２４】
前記双方向無線リンクは、ＣＤＭＡリンク、ＧＳＭリンク、802.11リンク、およびブルートゥースリンクを含むグループから選択される、請求項２１記載のシステム。
【請求項２５】
前記無線放送リンク上で前記マルチメディアストリームを受信する複数の無線受信機をさらに備えており、前記無線受信機は、前記マルチメディアデータを表示する少なくとも１つのディスプレイをもつ移動通信装置である、請求項２１記載のシステム。
【請求項２６】
前記無線放送リンク上で前記マルチメディアストリームを受信する複数の無線受信機をさらに備えており、前記無線受信機は、マルチメディアオーディオデータの提示のための少なくとも１つのスピーカをもつ移動通信装置である、請求項２１記載のシステム。
【請求項２７】
前記制御データは、前記マルチメディアストリームを解読するのに役立つ少なくとも１つのキーと、マルチメディア放送サービスへの加入と関係付けられたデータと、マルチメディア放送ネットワーク上の登録と関係付けられたデータと、前記マルチメディアデータを復号するのに役立つ少なくとも１つのアプリケーションと、課金情報と、ユーザの複数の好みに関係するデータと、前記マルチメディアストリームを与えることに関係するサービスの複数のレベルに関係するデータとの中の少なくとも１つを含む、請求項２１記載のシステム。
【請求項２８】
複数のサービスは、前記双方向リンク上で注文される、請求項２１記載のシステム。
【請求項２９】
複数の製品は、前記双方向リンク上で注文される、請求項２１記載のシステム。
【請求項３０】
前記マルチメディアストリームを、暗号化し、符号化し、および／または集約するように構成された少なくとも１つのディジタル放送マルチメディア（DBM）制御装置をさらに備える、請求項２１記載のシステム。
【請求項３１】
前記制御データは、チャネルの選択および追跡のために、前記マルチメディアストリーム中へインデックスを付けるのに役立つデータを含む、請求項２１記載のシステム。
【請求項３２】
前記無線放送リンク上で前記マルチメディアストリームを受信する複数の無線受信機をさらに備えており、前記ネットワーク制御センターは、そこから複数のキーを少なくとも受信するために前記ディジタル放送マルチメディア制御装置と通信するように構成され、前記ネットワーク制御センターは前記双方向無線リンク上で前記無線受信機と通信するように構成される、請求項３０記載のシステム。
【請求項３３】
複数のマルチメディアストリームを再生することに関係する複数のアプリケーションを複数の無線受信機に与えるように構成された前記ネットワーク制御センターと関係付けられた少なくとも１つのネットワーク制御センター制御装置をさらに備える、請求項３２記載のシステム。
【請求項３４】
双方向無線リンクを経由して複数のマルチメディアストリームを再生することに関係する複数のアプリケーションを複数の無線受信機に与えるように構成された前記放送センターと関係付けられた少なくとも１つのネットワークオペレーション制御装置をさらに備える、請求項３２記載のシステム。
【請求項３５】
下記を備える、無線通信装置にマルチメディアストリームを与える方法、
放送センター１２によって、無線放送チャネル１４上で前記マルチメディアストリームを放送すること、
前記無線通信装置上に前記マルチメディアストリームを表示するのに必要な制御データを、前記放送センター１２からネットワークを介してネットワーク制御センター３４によって受信すること、および
該制御データを該ネットワーク制御センター３４から双方向無線リンク上で、前記放送されたマルチメディアストリームを受信する装置へ送信すること、ここにおいて、前記ネットワークはセキュリティが保護された接続であり、前記双方向無線リンク３６は、ポイント ツウ ポイント無線通信リンクである、ここにおいて、前記制御データは、前記マルチメディアストリームをデインターリービング、圧縮解除、および復号するのに役立つデータを含む。
【請求項３６】
少なくともいくつかの制御データは前記無線通信装置に送信される、請求項３５記載の方法。
【請求項３７】
少なくともいくつかの制御データは前記無線通信装置から送信される、請求項３５記載の方法。
【請求項３８】
前記双方向無線リンクは、前記放送チャネルと関係付けられていない、請求項３５記載の方法。
【請求項３９】
前記放送チャネルは単方向である、請求項３５記載の方法。
【請求項４０】
前記放送リンクは、複数のＣＤＭＡ原理、複数のＧＳＭ原理、および複数のＯＦＤＭ原理の中の少なくとも１つによって特徴付けられる、請求項３９記載の方法。
【請求項４１】
前記双方向無線リンクは、ＣＤＭＡリンク、ＧＳＭリンク、およびＯＦＤＭリンクの中の少なくとも１つである、請求項３５記載の方法。
【請求項４２】
前記双方向無線リンクは、802.11リンク、ブルートゥースリンク、および衛星リンクの中の少なくとも１つである、請求項３５記載の方法。
【請求項４３】
前記無線通信装置は、前記マルチメディアストリームを表示するための少なくとも１つのディスプレイと、マルチメディアオーディオデータの提示のための少なくとも１つのスピーカとをもつ移動通信装置である、請求項３５記載の方法。
【請求項４４】
前記制御データは、前記マルチメディアストリームを解読するのに役立つ少なくとも１つのキーを含む、請求項３５記載の方法。
【請求項４５】
前記制御データは、マルチメディア放送サービスへの加入と関係付けられたデータを含む、請求項３５記載の方法。
【請求項４６】
前記制御データは、マルチメディア放送ネットワーク上の登録と関係付けられたデータ、前記マルチメディアデータを再生するのに役立つ少なくとも１つのアプリケーション、課金情報、およびユーザの複数の好みに関係するデータの中の少なくとも１つを含む、請求項３５記載の方法。
【請求項４７】
前記制御データは、前記マルチメディアストリームを与えることに関係するサービスの複数のレベルに関係するデータを含む、請求項３５記載の方法。
【請求項４８】
前記マルチメディアストリームはディジタルであり、暗号化される、請求項３５記載の方法。
【請求項４９】
前記制御データは、前記マルチメディアストリームの暗号化に役立つデータを含む、請求項３５記載の方法。
【請求項５０】
前記制御データは、チャネルの選択および追跡のために、前記マルチメディアストリーム中へインデックスを付けるのに役立つデータを含む、請求項３５記載の方法。
【請求項５１】
前記双方向リンク上で、複数のサービスおよび複数の製品のうちの少なくとも１つを注文することを備える、請求項３５記載の方法。
【請求項５２】
下記を備える、無線通信装置にマルチメディアストリームを与えるシステム、
無線放送チャネル１４上で前記マルチメディアストリームを放送するための手段、および
前記放送するための手段からネットワークを介して制御データを受信し、該制御データを双方向無線リンク３６上で送信するための手段、ここにおいて、前記ネットワークはセキュリティが保護された接続であり、前記双方向無線リンク３６は、ポイント ツウ ポイント無線通信リンクである、ここにおいて、前記制御データは、前記マルチメディアストリームをデインターリービング、圧縮解除、および復号するのに役立つデータを含む。
【請求項５３】
前記マルチメディアストリームを暗号化するための手段をさらに備える、請求項５２記載のシステム。
【請求項５４】
前記双方向無線リンク上で、前記暗号化手段から複数のキーを少なくとも受信するために、前記暗号化手段と通信するための手段をさらに備える、請求項５３記載のシステム。
【請求項５５】
複数のマルチメディアストリームを再生することに関係する複数のアプリケーションを、前記双方向無線リンク上で、複数の無線受信機に与えるための手段をさらに備える、請求項５４記載のシステム。